【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】  
【請求項１】
対向配置されて間の空間に均一静磁場領域を形成する１対の静磁場発生源と静磁場の均一度を調節するシムコイルからなる静磁場発生手段と、前記静磁場発生手段の対向面側に均一静磁場領域を挟んで対向配置された１対の傾斜磁場コイルと、高周波磁場を発生させて被検体に核磁気共鳴現象を誘起させる高周波磁場コイルを備えた磁気共鳴イメージング装置において、
前記傾斜磁場コイルは、電流受給用端子を備え、
前記静磁場発生手段は、前記傾斜磁場コイルを収容する凹みと、対向面側とその反対面側とを結んで貫通する貫通穴と、を備え、
前記貫通穴内に、前記傾斜磁場コイルに電流を供給する配線が固定され、
前記配線は、その前記傾斜磁場コイル側に電流供給用端子を備え、
前記電流受給用端子と前記電流供給用端子とが接続され、
前記傾斜磁場コイルが前記静磁場発生手段の凹みに固定され、
て構成されたことを特徴とする磁気共鳴イメージング装置。
【請求項２】
請求項１に記載の磁気共鳴イメージング装置に於いて、
前記高周波磁場コイルと前記シムコイルへの電流供給のための配線と、前記高周波コイルにて受信したエコー信号を送信するための配線が、前記貫通穴内に固定されていることを特徴とする磁気共鳴イメージング装置。
【請求項３】
請求項１または請求項２に記載の磁気共鳴イメージング装置に於いて、
前記傾斜磁場コイルは、その略側面に少なくても１以上の電流受給用端子を備え、
前記静磁場発生手段は、前記凹みの略側面に少なくとも１以上の前記貫通穴を備えていることを特徴とする磁気共鳴イメージング装置。
【請求項４】
請求項１または請求項２に記載の磁気共鳴イメージング装置に於いて、
前記傾斜磁場コイルは、その均一静磁場側面の反対側面に少なくても１以上の電流受給用端子を備え、
前記静磁場発生手段は、前記凹みに少なくとも１以上の前記貫通穴を備えていることを特徴とする磁気共鳴イメージング装置。
【請求項５】
請求項１乃至４のいずれか一項に記載の磁気共鳴イメージング装置に於いて、
前記貫通穴と前記配線の隙間にクッション材が充填されることによって、前記貫通穴内に前記配線が固定されていることを特徴とする磁気共鳴イメージング装置。
【請求項６】
請求項３に記載の磁気共鳴イメージング装置に於いて、
前記貫通穴と前記配線との隙間に液状の固定剤が充填されて硬化させることによって、前記貫通穴内に前記配線が固定されていることを特徴とする磁気共鳴イメージング装置。
【請求項７】
請求項３に記載の磁気共鳴イメージング装置に於いて、
直線状のガイドに前記配線が固定され、
前記貫通穴には、前記ガイドを案内するためのレールが設置され、
前記ガイドが前記レールに沿って挿入されて固定されることによって、前記貫通穴内に前記配線が固定されていることを特徴とする磁気共鳴イメージング装置。
【請求項８】
請求項１乃至４のいずれか一項に記載の磁気共鳴イメージング装置に於いて、
前記電流供給用端子と前記電流需給端子のいずれか一方は窪みを備え、他方は当該窪みに挿入される突起を備え、
前記突起が前記窪みに挿入されることにより、前記傾斜磁場コイルと前記配線とが接続されていることを特徴とする磁気共鳴イメージング装置。
【請求項９】
請求項３に記載の磁気共鳴イメージング装置に於いて、
前記電流受給用端子と前記電流供給用端子のいずれにも、お互いをボルト締結するための穴を備え、
前記ボルト締結用の穴を通してボルト締結されることにより、前記傾斜磁場コイルと前記配線とが接続されていることを特徴とする磁気共鳴イメージング装置。
【請求項１０】
請求項１乃至４のいずれか一項に記載の磁気共鳴イメージング装置に於いて、
互いに電気的に接触する一対のコネクタの内、一方を前記電流受給用端子が備え、他方を前記電流供給用端子が備えて、
前記１対のコネクタが接続されることにより、前記傾斜磁場コイルと前記配線とが接続されていることを特徴とする磁気共鳴イメージング装置。
【請求項１１】
対向配置されて間の空間に均一静磁場領域を形成する１対の静磁場発生源と静磁場の均一度を調節するシムコイルからなる静磁場発生手段と、前記静磁場発生手段の対向面側に均一静磁場領域を挟んで対向配置された１対の傾斜磁場コイルと、高周波磁場を発生させて被検体に磁気共鳴現象を誘起させる高周波磁場コイルを備えた磁気共鳴イメージング装置において、
前記傾斜磁場コイルは、冷媒受給用端子を備え、
前記静磁場発生手段は、前記傾斜磁場コイルを収容する凹みと、対向面側とその反対面側とを結んで貫通する貫通穴と、を備え、
前記貫通穴内に、前記傾斜磁場コイルに冷媒を供給する配管が固定され、
前記配管は、その前記傾斜磁場コイル側に冷媒供給用端子を備え、
前記冷媒供給用端子と前記冷媒受給端子とが接続され、
前記傾斜磁場コイルが前記静磁場発生手段の凹みに固定され、
て構成されたことを特徴とする磁気共鳴イメージング装置。
【請求項１２】
請求項１１に記載の磁気共鳴イメージング装置に於いて、
前記傾斜磁場コイルは、その略側面に少なくても１以上の冷媒受給用端子を備え、
前記静磁場発生手段は、前記凹みの略側面に少なくとも１以上の前記貫通穴を備えていることを特徴とする磁気共鳴イメージング装置。
【請求項１３】
請求項１１に記載の磁気共鳴イメージング装置に於いて、
前記傾斜磁場コイルは、その均一静磁場側面の反対側面に少なくても１以上の冷媒供給用端子を備え、
前記静磁場発生手段は、前記凹みに少なくとも１以上の前記貫通穴を備えていることを特徴とする磁気共鳴イメージング装置。
【請求項１４】
請求項１１に記載の磁気共鳴イメージング装置に於いて、
前記冷媒供給用端子と前記冷媒需給端子のいずれか一方は窪みを備え、他方は当該窪みに挿入される突起を備え、
前記突起が前記窪みに挿入されることにより、前記傾斜磁場コイルと前記配管とが接続されていることを特徴とする磁気共鳴イメージング装置。
【請求項１５】
請求項１１に記載の磁気共鳴イメージング装置に於いて、
互いに冷媒を搬送させる一対のコネクタの内、一方を前記冷媒受給用端子が備え、他方を前記冷媒供給用端子が備えて、
前記１対のコネクタが接続されることにより、前記傾斜磁場コイルと前記配管とが接続されていることを特徴とする磁気共鳴イメージング装置。
【手続補正２】
【補正対象書類名】明細書
【補正対象項目名】０００９
【補正方法】変更
【補正の内容】
【０００９】
【課題を解決するための手段】
前記課題を解決するために、本発明の磁気共鳴イメージング装置は以下の様に構成されている。即ち、
対向配置されて間の空間に均一静磁場領域を形成する１対の静磁場発生源と静磁場の均一度を調節するシムコイルからなる静磁場発生手段と、前記静磁場発生手段の対向面側に均一静磁場領域を挟んで対向配置された１対の傾斜磁場コイルと、高周波磁場を発生させて被検体に核磁気共鳴現象を誘起させる高周波磁場コイルを備え、
前記傾斜磁場コイルは、電流受給用端子を備え、前記静磁場発生手段は、前記傾斜磁場コイルを収容する凹みと、対向面側とその反対面側とを結んで貫通する貫通穴と、を備え、前記貫通穴内に、前記傾斜磁場コイルに電流を供給する配線が固定され、前記配線は、その前記傾斜磁場コイル側に電流供給用端子を備え、前記電流受給用端子と前記電流供給用端子とが接続され、前記傾斜磁場コイルが前記静磁場発生手段の凹みに固定され、て構成されている。
また、前記傾斜磁場コイルは、冷媒受給用端子を備え、前記静磁場発生手段は、前記傾斜磁場コイルを収容する凹みと、対向面側とその反対面側とを結んで貫通する貫通穴と、を備え、前記貫通穴内に、前記傾斜磁場コイルに冷媒を供給する配管が固定され、前記配管は、その前記傾斜磁場コイル側に冷媒供給用端子を備え、前記冷媒供給用端子と前記冷媒受給端子とが接続され、前記傾斜磁場コイルが前記静磁場発生手段の凹みに固定され、て構成されている。